(57)【要約】【課題】メインディスプレイとサブディスプレイを備えた折りたたみ式の携帯端末装置において、受信した画像と文字情報を重ねず、同時に表示することを可能にする。【解決手段】メインディスプレイの背面にあるサブディスプレイをスライド移動及び回転させ、メインディスプレイと同じ表示面側に向けることにより、メインディスプレイとサブディスプレイを同時に見ることができる。そして、画像と文字情報を別々のディスプレイに表示することにより、画像と文字情報が重ならずに表示することができる。【選択図】図１
2005149192.tif 000002
【特許請求の範囲】
【請求項１】
画像及び／又は文字情報を表示するメインディスプレイと、
前記メインディスプレイの背面に配置された画像及び／又は文字情報を表示するサブディスプレイと、
前記サブディスプレイを側面にスライド移動させる機構を有するスライド部と、
スライド移動させた前記サブディスプレイが前記メインディスプレイの表示面に向くように回転させる機構を有する回転部と、
を備えた携帯端末装置。
【請求項２】
画像及び／又は文字情報を表示するメインディスプレイと、
前記メインディスプレイと同一平面上に配置された画像及び／又は文字情報を表示するサブディスプレイと、
前記サブディスプレイの表示面を前記メインディスプレイの表示面に向くように回転させる機構を有する回転部と、
を備えた携帯端末装置。
【請求項３】
画像及び／又は文字情報を表示するメインディスプレイと、
前記メインディスプレイの背面に配置された画像及び／又は文字情報を表示するサブディスプレイと、
前記サブディスプレイの表示面を前記メインディスプレイの表示面側に開くように開閉させる機構を有する開閉部と、
を備えた携帯端末装置。
【請求項４】
前記スライド部のスライド状態を取得するためのスライド状態取得手段と、
前記回転部の回転状態を取得するための回転状態取得手段と、
前記キー入力部からの表示設定情報を取得するための表示設定情報手段と、
前記スライド状態取得手段からのスライド状態情報と前記回転状態取得手段からの回転状態情報と前記表示設定情報手段からの表示設定情報を元に、画像及び文字情報をメインディスプレイ及びサブディスプレイにそれぞれ表示させるための表示制御手段と、
を備えたことを特徴とする請求項１に記載の携帯端末装置。
【請求項５】
前記回転部の回転状態を取得するための回転状態取得手段と、前記キー入力部からの表示設定情報を取得するための表示設定情報手段と、
前記回転状態取得手段からの回転状態情報と前記表示設定情報手段からの表示設定情報を元に、画像及び文字情報をメインディスプレイ及びサブディスプレイにそれぞれ表示させるための表示制御手段と、
を備えたことを特徴とする請求項２に記載の携帯端末装置。
【請求項６】
前記開閉部の開閉状態を取得するための開閉状態取得手段と、
前記キー入力部からの表示設定情報を取得するための表示設定情報手段と、
前記開閉状態取得手段からの開閉状態情報と前記表示設定情報手段からの表示設定情報を元に、画像及び文字情報をメインディスプレイ及びサブディスプレイにそれぞれ表示させるための表示制御手段と、
を備えたことを特徴とする請求項３に記載の携帯端末装置。
【発明の詳細な説明】
【技術分野】
【０００１】
本発明は、通信機能を有し画像及び文字情報を受信することができる携帯端末装置に関するものである。
【背景技術】
【０００２】
折りたたみ式の携帯端末装置において、メインディスプレイを開けた状態では電話，メール作成，スケジュール入力，ゲーム等を行い、メインディスプレイを閉じた状態ではメインディスプレイの背面に配置されたサブディスプレイにより電話着信確認，メール着信確認，時刻確認を行うことができるものがある。このような携帯端末装置の例としては特許文献１に開示されているものがある。
【特許文献１】特開２００３−９９１５６号公報（１頁、図１）
【発明の開示】
【発明が解決しようとする課題】
【０００３】
上記従来の技術では、メインディスプレイを開けた状態ではメインディスプレイのみ使用することが可能でサブディスプレイを使用することができない。またメインディスプレイを閉じた状態ではサブディスプレイのみ使用することが可能でメインディスプレイは使用することができない。
【０００４】
また、このような携帯端末装置において、画像や文字情報の受信が可能な携帯端末装置は、画像，文字情報，ユーザへの情報通知等の多くの情報をメインディスプレイに表示する必要があるが、携帯端末装置のメインディスプレイは比較的小さいため、画像と同時に文字情報やユーザへの情報通知を表示すると画像が見にくくなるという問題がある。
【０００５】
本発明は、以上のような課題を解決することの出来る、低コストで画像や文字情報を良好に表示することができる携帯端末装置を提供することを目的とする。
【課題を解決するための手段】
【０００６】
（第1の解決手段）
サブディスプレイを携帯端末装置の側面にスライド移動させる機構を有するスライド部と、スライド移動させたサブディスプレイがメインディスプレイの表示面側に向くように回転させる機構を有する回転部を備えることにより、メインディスプレイとサブディスプレイを同時に見ることが可能となる。
【０００７】
また、画像及び文字情報を受信する通信部により受信した画像と文字情報を個々に記憶する画像記憶手段，文字記憶手段と、メインディスプレイ及びサブディスプレイにそれぞれ表示させるための表示制御手段を備えることにより、画像と文字情報をメインディスプレイとサブディスプレイに分けて表示することが可能となる。
【０００８】
また、ユーザーによるキー入力によって所定の情報を設定するためのキー入力部と、前記スライド部のスライド状態を取得するためのスライド状態取得手段と、前記回転部の回転状態を取得するための回転状態取得手段と、を備えることにより、所定の情報と回転状態とスライド状態を元に各ディスプレイに表示させるものを選択できるようになる。
【０００９】
（第２の解決手段）
サブディスプレイを側面にスライド移動させずにサブディスプレイを回転させるだけでメインディスプレイと同じ表示面に向くような携帯端末装置の場合は、サブディスプレイがメインディスプレイの表示面に向くように回転させる機構を有する回転部のみを備えることにより、メインディスプレイとサブディスプレイを同時に見ることが可能となる。
【００１０】
また、画像及び文字情報を受信する通信部により受信した画像と文字情報を個々に記憶する画像記憶手段，文字記憶手段と、メインディスプレイ及びサブディスプレイにそれぞれ表示させるための表示制御手段を備えることにより、画像と文字情報をメインディスプレイとサブディスプレイに分けて表示することが可能となる。
【００１１】
また、ユーザーによるキー入力によって所定の情報を設定するためのキー入力部と、回転部の回転状態を取得するための回転状態取得手段と、を備えることにより、所定の情報と回転状態を元に各ディスプレイに表示させるものを選択できるようになる。
【００１２】
（第３の解決手段）
開閉式のサブディスプレイをメインディスプレイ側に開くことにより、メインディスプレイと同じ表示面に向くような携帯端末装置の場合は、サブディスプレイがメインディスプレイの表示面側に向くような開閉させる機構を有する開閉部のみを備えることにより、メインディスプレイとサブディスプレイを同時に見ることが可能となる。
【００１３】
また、画像及び文字情報を受信する通信部により受信した画像と文字情報を個々に記憶する画像記憶手段，文字記憶手段と、メインディスプレイ及びサブディスプレイにそれぞれ表示させるための表示制御手段を備えることにより、画像と文字情報をメインディスプレイとサブディスプレイに分けて表示することが可能となる。
【００１４】
また、ユーザーによるキー入力によって所定の情報を設定するためのキー入力部と、回転部の回転状態を取得するための回転状態取得手段と、を備えることにより、所定の情報と開閉状態を元に各ディスプレイに表示させるものを選択できるようになる。
【発明の効果】
【００１５】
本発明は、画像と文字情報を同時に別々のディスプレイに表示することにより、画像及び文字情報を見やすくすることができる。また、ディスプレイは現状使用しているサブディスプレイを回転（サブディスプレイを回転させるのに必要であればサブディスプレイをスライド移動させる）又は、開閉して使用するため、画像と文字情報を別々のディスプレイに表示させたい場合に、メインディスプレイと同じ表示面に新しいディスプレイを搭載する必要がなく、低コストで実現することができる。
【発明を実施するための最良の形態】
【００１６】
以下に添付図面を参照しながら、本発明に係る携帯端末装置の好ましい実施の形態について説明する。
（実施の形態１）
図１は、本発明の実施の形態におけるデジタル放送を送受信するシステム（放送局と携帯端末装置）の概念図である。１はデジタル放送を送信するための放送局、２は通信機能と２画面の表示機能を備えた開閉可能な機構を有する携帯端末装置である。放送局１から送信されるデジタル放送を携帯端末装置２で受信し、携帯端末装置２は受信したデジタル放送の画像及び文字情報を表示する。
【００１７】
図２は、本発明の実施の形態における携帯端末装置２の内面と外面の概観図である。１０は携帯端末装置を開いている時に画像や文字情報を表示するためのメインディスプレイ、１１は携帯端末装置の開閉時に所定の情報を表示するサブディスプレイ、１２はユーザーによるキー入力によって所定の情報を設定するためのキー入力部である。
【００１８】
図３と図４は、携帯端末装置を開いている時に、サブディスプレイ１１の表示面をメインディスプレイ１０と同じ表示面側に向けるための実施の形態を示している。１０１はサブディスプレイ１１を側面にスライドさせるためのスライド部、１０２はサブディスプレイ１１を回転させてメインディスプレイ１０と同じ表示面に向けるための回転部である。メインディスプレイ１０と同時にサブディスプレイ１１を見る場合は、スライド部１０１でサブディスプレイ１１を携帯端末装置２の側面にスライド移動させ、回転部１０２でサブディスプレイ１１を回転させ、メインディスプレイ１０と同じ表示面に向ける。
【００１９】
図５は、携帯端末装置２のシステムブロック図である。１１０はキー入力部１２からのキー入力により設定された表示設定情報を取得するための表示設定情報取得手段、１２０はスライド部１０１によりスライドされるサブディスプレイ１１のスライド状態情報を取得するためのスライド状態取得手段、１３０は回転部１０２により回転されるサブディスプレイ１１の回転状態情報を取得するための回転状態取得手段、１０３は通信によりデータを受信するための通信部、１４０は通信部１０３により受信した画像データを記憶するための画像記憶手段、１５０は通信部１０３により受信した文字情報を記憶するための文字記憶手段、１６０はメインディスプレイ１０とサブディスプレイ１１に画像及び文字情報を表示するための表示制御手段である。
【００２０】
キー入力部１２による表示設定は、メインディスプレイ１０とサブディスプレイ１１に何を表示させるかを設定でき、またメインディスプレイ１０の表示設定はサブディスプレイ１１を使用する時と使用しない時の表示設定を変えることもできる。
【００２１】
文字記憶手段１５０は通信部１０３により受信する様々な文字情報を種類別に記憶することができ、例えば字幕データ,文字スーパー,電子番組情報,電話着信通知,メール着信通知などがある。ここでは記憶する文字情報の種類や記憶手段に関しては限定しない。
【００２２】
表示制御手段１６０は表示設定情報取得手段１１０からメインディスプレイとサブディスプレイの字幕データ,文字スーパー,電子番組情報,電話着信通知,メール着信通知などの表示設定情報、スライド状態取得手段１２０からはサブディスプレイが完全に側面へスライドされた場合はスライド状態、そうでない場合は非スライド状態とするスライド状態情報、回転状態取得手段１３０からはサブディスプレイがメインディスプレイ側に９０度以上回転した場合は回転状態とし（回転状態は、特に９０度以上の回転に限定するものではなく、ある一定角度以上回転した場合に回転状態と規定して良い）、そうでない場合は非回転状態とする回転状態情報を取得して、メインディスプレイ１０とサブディスプレイ１１の表示判定を行い、画像記憶手段と文字記憶手段から取得した画像及び電子番組情報，字幕情報，文字スーパー情報などの文字情報の表示を行う。
【００２３】
具体的な表示動作について説明する。
表示設定をメインディスプレイ１０に画像表示,サブディスプレイ１１に字幕データ,文字スーパー,電子番組情報,電話着信通知,メール着信通知などの文字情報表示とし、サブディスプレイ１１をスライド部１０１によりスライド状態にし、また、回転部１０２により回転状態にさせることにより、メインディスプレイ１０で画像を表示し、サブディスプレイ１１で電子番組情報または字幕,文字スーパーなどの文字情報を表示することができ、画像と文字情報を同時に快適に見ることができる。また、ここでスライド情報が非スライド状態または、回転情報が非回転状態の場合はサブディスプレイを表示不可能な状態と判断し、メインディスプレイに画像表示と字幕データ,文字スーパー,電子番組情報,電話着信通知,メール着信通知などの文字情報を同時に表示させることとする。
【００２４】
（実施の形態２）
図６は本発明の実施の形態におけるデジタル放送を送受信するシステム（放送局と携帯端末装置）の概念図である。
【００２５】
１はデジタル放送を送信するための放送局、３は通信機能と２画面の表示機能を備えた開閉可能な機構を有する携帯端末装置である。放送局１から送信されるデジタル放送を携帯端末装置３で受信し、携帯端末装置３は受信したデジタル放送の画像及び文字情報を表示する。
【００２６】
図７は本発明の実施の形態における携帯端末装置３の内面と外面の概観図である。１０は携帯端末装置を開いている時に画像や文字情報を表示するためのメインディスプレイ、１３は携帯端末装置の開閉時に所定の情報を表示するサブディスプレイ、１２はユーザーによるキー入力によって所定の情報を設定するためのキー入力部である。
【００２７】
図８は携帯端末装置３を開いている時に、サブディスプレイ１３の表示面をメインディスプレイ１０と同じ表示面側に向けるための実施の形態を示している。１０４はサブディスプレイ１３を回転させてメインディスプレイ１０と同じ表示面に向けるための回転部である。メインディスプレイ１０と同時にサブディスプレイ１３を見る場合は、回転部１０４でサブディスプレイ１３を回転させ、メインディスプレイ１０と同じ表示面側に向ける。
【００２８】
図９は携帯端末装置３のシステムブロック図である。１１０はキー入力部１２からのキー入力により設定された表示設定情報を取得するための表示設定情報取得手段、１３０は回転部１０４により回転されるサブディスプレイ１３の回転状態情報を取得するための回転状態取得手段、１０３は通信によりデータを受信するための通信部、１４０は通信部１０３により受信した画像データを記憶するための画像記憶手段、１５０は通信部１０３により受信した文字情報を記憶するための文字記憶手段、１６０はメインディスプレイ１０とサブディスプレイ１３に画像及び文字情報を表示するための表示制御手段である。
【００２９】
キー入力部１２による表示設定は、メインディスプレイ１０とサブディスプレイ１３に何を表示させるかを設定でき、またメインディスプレイ１０の表示設定ではサブディスプレイ１３を使用する時と使用しない時の表示設定を行うこともできる。
【００３０】
文字記憶手段１５０は通信部１０３により受信する様々な文字情報を種類別に記憶することができ、例えば字幕データ,文字スーパー,電子番組情報, 電話着信通知,メール着信通知などがある。ここでは記憶する文字情報の種類や記憶手段に関しては限定しない。
【００３１】
表示制御手段１６０は表示設定情報取得手段１１０からメインディスプレイとサブディスプレイの字幕データ,文字スーパー,電子番組情報,電話着信通知,メール着信通知などの表示設定情報、サブディスプレイがメインディスプレイ側に９０度以上回転した場合（回転状態は、特に９０度以上の回転に限定するものではなく、ある一定角度以上回転した場合に回転状態と規定して良い）は回転状態とし、そうでない場合は非回転状態とする回転情報を取得して、メインディスプレイ１０とサブディスプレイ１３の表示判定を行い、画像記憶手段と文字記憶手段から取得した画像及び電子番組情報，字幕情報，文字スーパー情報などの文字情報の表示を行う。
【００３２】
具体的な表示動作について説明する。
表示設定をメインディスプレイ１０は画像表示,サブディスプレイ１３は字幕データ,文字スーパー,電子番組情報,電話着信通知,メール着信通知などの文字情報表示とし、サブディスプレイ１３を回転部１０４により回転状態にさせることにより、メインディスプレイ１０で画像を表示し、サブディスプレイ１３で電子番組情報または字幕,文字スーパーなどの文字情報を表示することができ、画像と文字情報を同時に快適に見ることができる。また、ここで回転情報が非回転状態の場合はサブディスプレイを表示不可能な状態と判断し、メインディスプレイに画像表示と字幕データ,文字スーパー,電子番組情報,電話着信通知,メール着信通知などの文字情報を同時に表示させることとする。
（実施の形態３）
図１０は本発明の実施の形態におけるデジタル放送を送受信するシステム（放送局と携帯端末装置）の概念図である。１はデジタル放送を送信するための放送局、４は通信機能と２画面の表示機能を備えた折りたたみ可能な機構を有する携帯端末装置である。放送局１から送信されるデジタル放送を携帯端末装置４で受信し、携帯端末装置４は受信したデジタル放送の画像及び文字情報を表示する。
【００３３】
図１１は本発明の実施の形態における携帯端末装置４の内面と外面の概観図である。１０は携帯端末装置を開いている時に画像や文字情報を表示するためのメインディスプレイ、１４は携帯端末装置４の所定の情報を表示するサブディスプレイ、１２はユーザによるキー入力によって所定の情報を設定するためのキー入力部である。
図１２は携帯端末装置４を開いている時に、サブディスプレイ１４の表示面をメインディスプレイ１０と同じ表示面に向けるための実施の形態を示している。１０５はサブディスプレイ１４を開いてメインディスプレイ１０と同じ表示面に向けるための開閉部である。メインディスプレイ１０と同時にサブディスプレイ１４を見る場合は、開閉部１０５でサブディスプレイ１４を開いて、メインディスプレイ１０と同じ表示面に向ける。ここでは、開閉部の開閉方法に関しては限定しない。
図１３は携帯端末装置４のシステムブロック図である。１１０はキー入力部１２からのキー入力により設定された表示設定情報を取得するための表示設定情報取得手段、１７０は開閉部１０５により開閉されるサブディスプレイ１４の開閉状態情報を取得するための開閉状態取得手段、１０３は通信によりデータを受信するための通信部、１４０は通信部１０３により受信した画像データを記憶するための画像記憶手段、１５０は通信部１０３により受信した文字情報を記憶するための文字記憶手段、１６０はメインディスプレイ１０とサブディスプレイ１４に画像及び文字情報を表示するための表示制御手段である。
キー入力部１２による表示設定は、メインディスプレイ１０とサブディスプレイ１４に何を表示させるかを設定でき、またメインディスプレイ１０の表示設定ではサブディスプレイ１４を使用する時と使用しない時の表示設定を行うこともできる。
文字記憶手段１５０は通信部１０３により受信する様々な文字情報を種類別に記憶することができ、例えば字幕データ,文字スーパー,電子番組情報, 電話着信通知,メール着信通知などがある。ここでは記憶する文字情報の種類や記憶手段に関しては限定しない。
【００３４】
表示制御手段１６０は表示設定情報取得手段１１０からメインディスプレイとサブディスプレイの字幕データ,文字スーパー,電子番組情報,電話着信通知,メール着信通知などの表示設定情報、開閉状態取得手段１７０からはメインディスプレイ側に９０度以上開閉させた場合（開状態は、特に９０度以上の開閉状態に限定するものではなく、ある一定角度以上開閉した場合に開閉状態と規定して良い）に開状態、そうでない場合には閉状態とする開閉情報を取得して、メインディスプレイ１０とサブディスプレイ１４の表示判定を行い、画像記憶手段と文字記憶手段から取得した画像及び電子番組情報，字幕情報，文字スーパー情報，文字情報などの文字情報の表示を行う。
【００３５】
具体的な表示動作について説明する。
表示設定をインディスプレイ１０は画像表示,サブディスプレイ１４は字幕データ,文字スーパー,電子番組情報,電話着信通知,メール着信通知などの文字情報表示とし、サブディスプレイ１４を開閉部１０５により開状態にすることにより、メインディスプレイ１０で画像を表示し、サブディスプレイ１４で電子番組情報または字幕,文字スーパーなどの文字情報を表示することができ、画像と文字情報を同時に快適に見ることができる。また、ここで開閉情報が閉状態の場合はサブディスプレイを表示不可能な状態と判断し、メインディスプレイに画像表示と字幕データ,文字スーパー,電子番組情報,電話着信通知,メール着信通知などの文字情報を同時に表示させることとする。
【産業上の利用可能性】
【００３６】
本発明にかかる携帯端末装置は、開閉式の携帯端末装置で画像と文字情報を別々のディスプレイに表示することが可能となり、デジタル放送受信機能を搭載の携帯端末装置に有用である。
【図面の簡単な説明】
【００３７】
【図１】実施の形態１におけるデジタル放送を送受信するシステム（放送局と携帯端末装置）の概念図
【図２】実施の形態１における携帯端末装置の概観図
【図３】実施の形態１におけるサブディスプレイのスライド動作の説明図
【図４】実施の形態１におけるサブディスプレイの回転動作の説明図
【図５】実施の形態１における携帯端末装置のシステムブロック図
【図６】実施の形態２におけるデジタル放送を送受信するシステム（放送局と携帯端末装置）の概念図
【図７】実施の形態２における携帯端末装置の概観図
【図８】実施の形態２におけるサブディスプレイの回転動作の説明図
【図９】実施の形態２における携帯端末装置のシステムブロック図
【図１０】実施の形態３におけるデジタル放送を送受信するシステム（放送局と携帯端末装置）の概念図
【図１１】実施の形態３における携帯端末装置の概観図
【図１２】実施の形態３における開閉動作の説明図
【図１３】実施の形態３における携帯端末装置のシステムブロック図
【符号の説明】
【００３８】
１    放送局
２    携帯端末装置
３    携帯端末装置
４    携帯端末装置
１０    メインディスプレイ
１１    サブディスプレイ
１２    キー入力部
１３    サブディスプレイ
１４    サブディスプレイ
１０１    スライド部
１０２    回転部
１０３    通信部
１０４    回転部
１０５    開閉部
１１０    表示設定情報取得手段
１２０    スライド状態取得手段
１３０    回転状態取得手段
１４０    画像記憶手段
１５０    文字記憶手段
１６０    表示制御手段
１７０    開閉状態取得手段
【図１】
2005149192.tif 000003
【図２】
2005149192.tif 000004
【図３】
2005149192.tif 000005
【図４】
2005149192.tif 000006
【図５】
2005149192.tif 000007
【図６】
2005149192.tif 000008
【図７】
2005149192.tif 000009
【図８】
2005149192.tif 000010
【図９】
2005149192.tif 000011
【図１０】
2005149192.tif 000012
【図１１】
2005149192.tif 000013
【図１２】
2005149192.tif 000014
【図１３】
2005149192.tif 000015